(57)【要約】【課題】簡単な構成で、複数のアドホックな無線通信ネットワークを形成可能とする。【解決手段】第１の範囲で第１の通信方式による通信を行う第１の通信部及び第１の範囲内の第２の範囲で第２の通信方式による通信を行う第２の通信部を備えた通信制御装置と通信を行う通信装置であって、第１の取得部は、通信制御装置との間で第２の通信方式による通信を行い、第２の通信範囲を指定する情報を含む範囲情報を取得する。接続部は、第２の通信方式の通信により、通信制御装置に対して第１の通信方式の通信回線接続を図る。第２の取得部は、第１の通信方式の通信回線接続後に、第２の通信方式の通信で、指定された第２の通信範囲で接続が許可される周辺機器の情報を含む接続情報を取得する。通信部は、指定された第２の通信範囲内で、接続が許可される周辺機器との間で、第１の通信方式による通信を行う。【選択図】図２３
2017041861.tif 000002
【特許請求の範囲】
【請求項１】
第１の範囲で第１の通信方式による通信を可能とする第１の通信部、及び、前記第１の範囲内の第２の範囲で、第２の通信方式による通信を可能とする第２の通信部を備えた通信制御装置と通信を行う通信装置であって、
前記通信制御装置との間で前記第２の通信方式による通信を行うことで、前記通信制御装置から、前記第２の通信範囲を指定するための情報を含む範囲情報を取得する第１の取得部と、
前記第２の通信方式の通信により、前記通信制御装置に対して前記第１の通信方式の通信回線の接続を図る接続部と、
前記第１の通信方式の通信回線の接続後に、前記第２の通信方式の通信により、前記通信制御装置から、指定された前記第２の通信範囲で接続が許可される周辺機器の情報を含む接続情報を取得する第２の取得部と、
前記指定された前記第２の通信範囲内において、接続が許可される前記周辺機器との間で、前記第１の通信方式による通信を行う通信部と
を有することを特徴とする通信装置。
【請求項２】
前記第２の取得部は、前記通信制御装置から送信された、前記通信制御装置が前記第１の通信方式の通信回線を接続した際に登録した前記通信装置の権限に対応する前記接続情報を取得し、
前記通信部は、前記権限に応じて接続が許可される前記周辺機器との間で、前記第１の通信方式による通信を行うこと
を特徴とする請求項１に記載の通信装置。
【請求項３】
前記第２の取得部は、指定された前記第２の通信範囲を移動した場合、移動前の第２の通信範囲に対応する前記接続情報を、移動後の第２の通信範囲に対応する前記接続情報に更新すること
を特徴とする請求項１又は請求項２に記載の通信装置。
【請求項４】
第１の範囲で第１の通信方式による通信を可能とする第１の通信部、及び、前記第１の範囲内の第２の範囲で、第２の通信方式による通信を可能とする第２の通信部を備えた通信制御装置と通信を行う通信装置の通信方法であって、
第１の取得部が、前記通信制御装置との間で前記第２の通信方式による通信を行うことで、前記通信制御装置から、前記第２の通信範囲を指定するための情報を含む範囲情報を取得する第１の取得ステップと、
接続部が、前記第２の通信方式の通信により、前記通信制御装置に対して前記第１の通信方式の通信回線の接続を図る接続ステップと、
第２の取得部が、前記第１の通信方式の通信回線の接続後に、前記第２の通信方式の通信により、前記通信制御装置から、指定された前記第２の通信範囲で接続が許可される周辺機器の情報を含む接続情報を取得する第２の取得ステップと、
通信部が、前記指定された前記第２の通信範囲内において、接続が許可される前記周辺機器との間で、前記第１の通信方式による通信を行う通信ステップと
を有することを特徴とする通信方法。
【請求項５】
第１の範囲で第１の通信方式による通信を可能とする第１の通信部、及び、前記第１の範囲内の第２の範囲で、第２の通信方式による通信を可能とする第２の通信部を備えた通信制御装置と、前記通信制御装置と通信を行う通信装置と、を有する通信システムであって、
前記通信制御装置は、
前記第２の通信範囲を指定するための情報を含む範囲情報を記憶する範囲情報記憶部と、
前記第２の通信範囲で接続を許可する周辺機器の情報を含む接続情報を記憶する接続情報記憶部と、を備え、
前記通信装置は、
前記通信制御装置との間で前記第２の通信方式による通信を行うことで、前記通信制御装置から、前記第２の通信範囲を指定するための情報を含む範囲情報を取得する第１の取得部と、
前記第２の通信方式の通信により、前記通信制御装置に対して前記第１の通信方式の通信回線の接続を図る接続部と、
前記第１の通信方式の通信回線の接続後に、前記第２の通信方式の通信により、前記通信制御装置から、指定された前記第２の通信範囲で接続が許可される周辺機器の情報を含む接続情報を取得する第２の取得部と、
前記指定された前記第２の通信範囲内において、接続が許可される前記周辺機器との間で、前記第１の通信方式による通信を行う通信部と
を有することを特徴とするシステム。
【請求項６】
第１の範囲で第１の通信方式による通信を可能とする第１の通信部、及び、前記第１の範囲内の第２の範囲で、第２の通信方式による通信を可能とする第２の通信部を備えた通信制御装置と通信を行う通信装置のコンピュータの通信プログラムであって、
前記コンピュータを、
前記通信制御装置との間で前記第２の通信方式による通信を行うことで、前記通信制御装置から、前記第２の通信範囲を指定するための情報を含む範囲情報を取得する第１の取得部と、
前記第２の通信方式の通信により、前記通信制御装置に対して前記第１の通信方式の通信回線の接続を図る接続部と、
前記第１の通信方式の通信回線の接続後に、前記第２の通信方式の通信により、前記通信制御装置から、指定された前記第２の通信範囲で接続が許可される周辺機器の情報を含む接続情報を取得する第２の取得部と、
前記指定された前記第２の通信範囲内において、接続が許可される前記周辺機器との間で、前記第１の通信方式による通信を行う通信部として機能させること
を特徴とするプログラム。
【発明の詳細な説明】
【技術分野】
【０００１】
本発明は、通信装置、通信方法、システム、およびプログラムに関する。
【背景技術】
【０００２】
今日において、ネットワークのアクセスポイントを介して、遠隔のコンピュータと電磁波による無線通信を可能とする無線ＬＡＮが知られている。ＬＡＮは、「Local  Area  Network」の略記である。無線ＬＡＮは、利便性の高いネットワークであり、広く普及している。また、無線ＬＡＮよりも通信範囲の狭い、Ｂｌｕｅｔｏｏｔｈ（登録商標）等の近距離無線通信も広く普及している。
【発明の概要】
【発明が解決しようとする課題】
【０００３】
ここで、無線ＬＡＮに代表される中程度の到達距離を持つ無線通信ネットワーク内において、Ｂｌｕｅｔｏｏｔｈ（登録商標）等の近距離無線通信を用いて無線ＬＡＮに対する接続許可を得る。そして、Ｂｌｕｅｔｏｏｔｈ（登録商標）の通信無線通信範囲内に限定して、無線ＬＡＮの使用を許可するアドホックな無線通信ネットワークを構築することを考える。
【０００４】
このようなアドホックな無線通信ネットワークを構築する場合において、複数のアドホックな無線通信ネットワークを形成する場合、形成するネットワーク分の通信範囲制限装置が必要となり、システム構成が複雑化する問題がある。
【０００５】
本発明は、上述の課題に鑑みてなされたものであり、簡単な構成で、複数のアドホックな無線通信ネットワークを形成可能な通信装置、通信方法、システム、およびプログラムの提供を目的とする。
【課題を解決するための手段】
【０００６】
上述した課題を解決し、目的を達成するために、本発明は、第１の範囲で第１の通信方式による通信を可能とする第１の通信部、及び、第１の範囲内の第２の範囲で、第２の通信方式による通信を可能とする第２の通信部を備えた通信制御装置と通信を行う通信装置であって、通信制御装置との間で第２の通信方式による通信を行うことで、通信制御装置から、第２の通信範囲を指定するための情報を含む範囲リスト情報を取得する第１の取得部と、第２の通信方式の通信により、通信制御装置に対して第１の通信方式の通信回線の接続を図る接続部と、第１の通信方式の通信回線の接続後に、第２の通信方式の通信により、通信制御装置から、指定された第２の通信範囲で接続が許可される周辺機器の情報を含む接続情報を取得する第２の取得部と、指定された第２の通信範囲内において、接続が許可される周辺機器との間で、第１の通信方式による通信を行う通信部とを有する。
【発明の効果】
【０００７】
本発明によれば、簡単な構成で、複数のアドホックな無線通信ネットワークを形成できるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、基本構成となる無線ＬＡＮシステムにおいて、ＢＬＥ通信エリアの少なくとも一部が無線ＬＡＮ通信エリア外に位置する場合の一例を示すシステム構成図である。
【図１４】図１４は、実施の形態の無線ＬＡＮ通信システムのシステム構成図である。
【図１５】図１５は、第１の通信範囲内の第２の通信範囲で、デバイス間の通信を確立する動作を説明するためのシーケンス図である。
【図１６】図１６は、第３の通信範囲内のデバイスに対して、第３の通信範囲内の機器の使用を可能とし、第３の通信範囲外の機器の使用を不可とする動作を説明するためのシーケンス図である。
【図１７】図１７は、第４の通信範囲内において、デバイスが第２の通信範囲との通信を切断する動作を説明するためのシーケンス図である。
【図１８】図１８は、第２の通信範囲外にデバイスが移動することで、デバイス間の通信が切断される動作を示すシーケンス図である。
【図１９】図１９は、デバイスが、第３の通信範囲から第２の通信範囲へ移動することで、第２の通信範囲内の機器が使用可能となり、また、第３の通信範囲内の機器の使用が不可となる動作を示すシーケンス図である。
【図２０】図２０は、デバイスが、第４の通信範囲から第２の通信範囲へ移動した際の各部の動作の流れを説明するためのシーケンス図である。
【図２１】図２１は、実施の形態の無線ＬＡＮ通信システムの、具体的なシステム構成図である。
【図２２】図２２は、図２１に示す装置及び機器等の各ＣＰＵが記憶部に記憶されている通信制御プログラムに従って動作することで実現される各機能の機能ブロック図である。
【図２３】図２３は、１台の通信範囲限定装置で擬似的に複数の限定された通信範囲を形成する動作の流れを示すフローチャートである。
【図２４】図２４は、スマートデバイスの権限に応じて使用する機器を制限する動作を示すフローチャートである。
【図２５】図２５は、スマートデバイスがプロジェクタ装置のＢＬＥ通信エリア内に移動することで、使用可能な機器をプロジェクタ装置のみに変更する動作を示すフローチャートである。
【図２６】図２６は、スマートデバイスがプロジェクタ装置のＢＬＥ通信エリア内に移動した場合に、一定の権限を持つスマートデバイスのみ、ＢＬＥ通信エリア内のプロジェクタ装置の使用を可能とする動作を示すフローチャートである。
【図２７】図２７は、スマートデバイスがＢＬＥ発信機のＢＬＥ通信エリアに移動することで、通信範囲制限装置との間のＷｉ−Ｆｉ通信が切断される動作の流れを示すフローチャートである。
【図２８】図２８は、ＢＬＥ発信機のＢＬＥ通信エリア内に移動したスマートデバイスの権限に応じて、通信範囲限定システムとの間のＷｉ−Ｆｉ通信を切断する動作を示すフローチャートである。
【図２９】図２９は、スマートデバイスがプロジェクタ装置のＢＬＥ通信エリア外に移動し、通信範囲制限装置内に存在する機器のみ再度使用可能に変更する動作を示すフローチャートである。
【図３０】図３０は、ＢＬＥ発信機のＢＬＥ通信エリアに移動することで、通信範囲制限装置との間のＷｉ−Ｆｉ通信を切断したスマートデバイスが、Ｗｉ−Ｆｉ通信の再接続を行う動作を示すフローチャートである。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うＢｌｕｅｔｏｏｔｈ（登録商標）ＰＡＮを用いることができる。図１中、点線の楕円に示す通信範囲が、Ｂｌｕｅｔｏｏｔｈ（登録商標）ＰＡＮによるＢＬＥ通信エリア６である。なお、パーソナルエリアネットワークはＢｌｕｅｔｏｏｔｈ（登録商標）ＰＡＮであることとして説明を進める。しかし、Ｂｌｕｅｔｏｏｔｈ（登録商標）の代わりに、例えば非接触無線（NFC：Near  Field  Communications）、ミリ波無線通信、ＱＲコード（登録商標）、可視光、環境音、又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。無線ＬＡＮＡＰ部１６は、第１の通信部の一例である。ＢＬＥ通信部１７は、第２の通信部の一例である。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、各デバイスの内部に組み込まれていてもよい。例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）で実現してもよいし、一部または全部をハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２、ＢＬＥ通信制御部８３としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機（自装置）の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置４）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
以上、無線ＬＡＮ通信エリア内にＢＬＥ通信エリアが無線ＬＡＮ通信エリアに包含されている例を示したが、例えば、図１３に示すように、ＢＬＥ通信エリアの少なくとも一部の領域が無線ＬＡＮ通信エリア外に位置する状態であってもよい。図１３において、無線ＬＡＮ通信回線を確立できるエリアは、ＢＬＥ通信エリア６’となる。無線ＬＡＮ通信エリア外のＢＬＥ通信エリア７では、ＢＬＥ通信により通信範囲情報を受信可能であるが、そもそも無線ＬＡＮ通信を行うためのセットアップができないためである。図１３に示すような状態は、例えば、無線ＬＡＮＡＰ部１６とＢＬＥ通信部１７が異なる位置に配置されている場合や、通信の指向性により通信可能範囲が一方向に突出しているような場合に考えられる。
【００６３】
（実施の形態）
次に、このような基本構成を有する無線ＬＡＮ通信システムの実施の形態を説明する。図１４は、実施の形態の無線ＬＡＮ通信システムのシステム構成図である。この図１４において、第１の通信範囲１０１、第２の通信範囲１０２は、それぞれ異なる通信装置１０５で形成される。また、第３の通信範囲１０３は、機器１０６で形成され、第４の通信範囲１０４は、機器１０７で形成される。第２の通信範囲１０２、第３の通信範囲１０３及び第４の通信範囲１０４は、第１の通信範囲１０１よりも狭く、包含関係にある。また、第３の通信範囲１０３及び第４の通信範囲１０４は、第２の通信範囲１０２よりも狭く、包含関係にある。
【００６４】
第４の通信範囲１０４内には、デバイス１１３が含まれる。第３の通信範囲１０３内には、デバイス１１２、機器１１７及び機器１１８が含まれる。第２の通信範囲１０２内には、第３の通信範囲１０３及び第４の通信範囲１０４に含まれないデバイス１１０、デバイス１１１、機器１１５及び機器１１６が含まれる。第１の通信範囲１０１内には、第２の通信範囲１０２に含まれないデバイス１０９が含まれる。なお、デバイス１０８は、第１の通信範囲１０１及び第２の通信範囲１０２の、どちらにも含まれないデバイスを示している。なお、第３の通信範囲１０３及び第４の通信範囲１０４の形成はデバイスが行っても良い。
【００６５】
第２の通信範囲１０２において、デバイス１１０からデバイス１１２、機器１０６及び機器１１５から機器１１８の第２の通信範囲１０２の通信を確立する。しかし、機器１０７で形成される第４の通信範囲１０４内のデバイス１１３は、第２の通信範囲１０２との通信を確立しないため、他の通信との接続が可能となる。また、第２の通信範囲１０２内に含まれないデバイス１０８及びデバイス１０９は、第２の通信範囲１０２の通信を確立できない。
【００６６】
第３の通信範囲１０３で通信を確立したデバイス１１２は、第３の通信範囲１０３内の機器１０６及び機器１１７から機器１１８を使用できるが、第３の通信範囲１０３に含まれない機器１０７及び機器１１５から機器１１６は使用できない。
【００６７】
第２の通信範囲１０２で通信を確立したデバイス１１０及びデバイス１１１は、第３の通信範囲１０３内の機器１０６及び機器１１７から機器１１８、第４の通信範囲１０４内の機器１０７を使用できない。デバイス１１０は機器１１５及び機器１１６を使用できるが、デバイス１１１は権限が無いため、機器１１５のみ使用可能となる。図１４は、このようなことを示している。
【００６８】
図１５に、第２の通信範囲１０２内で、デバイス１１１間の通信を確立するシーケンス図を示す。図１５のオブジェクトは、第１の通信範囲１０１を形成する通信装置１０５、第２の通信範囲を形成する通信装置１０５及びデバイス１１１である。以下、第１の通信範囲１０１を形成する通信装置１０５による通信を「第１の通信」、第２の通信範囲１０２を形成する通信装置１０５による通信を「第２の通信」という。
【００６９】
まず、第２の通信範囲１０２を形成する通信装置１０５からは通信範囲を示す通信範囲情報が送信される（ステップＳ６１）。デバイス１１１は、通信範囲情報に基づいて、デバイス１１１自身が第２の通信範囲１０２内に位置していることを認識する。デバイス１１１は、通信範囲情報リストの取得要求を、第２の通信範囲１０２を形成する通信装置１０５に送信し、デバイス１１１は、通信範囲情報リストを取得する（ステップＳ６２）。
【００７０】
次に、第１の通信を確立するための第１のセットアップ情報が、第２の通信範囲１０２を形成する通信装置１０５から送信され（ステップＳ６３）、デバイス１１１からは通信セットアップの指示情報が、第１の通信範囲１０１を形成する通信装置１０５に送信される（ステップＳ６４）。なお、第１の通信範囲１０１を形成する通信装置１０５と、第２の通信範囲１０２を形成する通信装置１０５とが別モジュールである場合は、通信装置は別となる。通信装置１０５及びデバイス１１１は、ステップＳ６５及びステップＳ６６において、それぞれ第１のセットアップを行う。これにより、デバイス１１１で第１の通信が確立される。
【００７１】
次に、第１の通信が確立されると、第２の通信範囲１０２内のデバイスリスト要求が、デバイス１１１から第２の通信範囲１０２を形成する通信装置１０５に送信される（ステップＳ６７）。第２の通信範囲１０２を形成する通信装置１０５からは、デバイス１１１の権限に対応した第２の通信範囲１０２内のデバイスリストがデバイス１１１に送信される（ステップＳ６８）。
【００７２】
第２の通信範囲１０２内のデバイスリストの設定内容は、各デバイスの権限又はデバイス情報により異なる。デバイス１１１は、取得したデバイスリストに設定された機器のみ使用可能となる。なお、デバイス１１１からデバイス１１３のデバイス通信確立の場合も、以上の説明と同様である。
【００７３】
次に、図１６は、図１４における第３の通信範囲１０３内でデバイス１１２が、第３の通信範囲１０３内の機器１０６及び機器１１７から機器１１８を使用できるが、第３の通信範囲１０３に含まれない機器１０７及び機器１１５から機器１１６は使用不可とするシーケンス図を示している。図１６に示すオブジェクトは、機器１０６及びデバイス１１２及び通信装置１０５である。前提として、第２の通信範囲１０２内のデバイスリスト（図１５、ステップＳ６８参照）には、機器１０６の通信範囲情報を受信するとデバイスリストを破棄し、新たなデバイスリストを受信するように設定されている。
【００７４】
まず、デバイス１１２は、第２の通信範囲１０２内のデバイスリストを確認し、前提条件を設定する（ステップＳ７１）。第３の通信範囲１０３を形成する機器１０６からは、通信範囲を示す通信範囲情報が送信される（ステップＳ７２）。デバイス１１２は、通信範囲情報に基づいて、デバイス１１２自身が第３の通信範囲１０３内に位置していることを認識し、第２の通信範囲１０２内のデバイスリストを破棄する（ステップＳ７３）。
【００７５】
次に、通信装置１０５は、第３の通信範囲１０３内に存在するデバイス１１２から、第３の通信範囲１０３内のデバイスリスト要求３０を受け（ステップＳ７４）、第３の通信範囲１０３内のデバイスリストをデバイス１１２に送信する（ステップＳ７５）。デバイス１１２は、取得したデバイスリストに設定された機器のみ使用可能となる。
【００７６】
なお、第２の通信範囲１０２内のデバイスリストに、通信範囲情報に従うデバイスリストの破棄が設定されていない場合は、機器１０６からの通信範囲を示す通信範囲情報を受信しても、図１６の各処理は実行されない。第３の通信範囲１０３内に移動した全てのデバイスは、以上の説明のように動作する。
【００７７】
次に、図１７は、第４の通信範囲１０４内において、デバイス１１３は第２の通信範囲１０２における通信を切断するシーケンス図である。図１７に示すオブジェクトは、機器１０７、デバイス１１３及び通信装置１０５である。前提として、上述のように取得した第２の通信範囲１０２内のデバイスリストには機器１０７の通信範囲情報を受信すると、第１の通信を切断するように設定されている。
【００７８】
まず、デバイス１１３は、第２の通信範囲１０２内のデバイスリストを確認し、前提条件を設定する（ステップＳ８１）。第４の通信範囲１０４を形成する機器１０７からは、通信範囲を示す通信範囲情報がデバイス１１３に送信される（ステップＳ８２）。デバイス１１３は、通信範囲情報に基づいて、デバイス１１３自身が第４の通信範囲１０４内に位置することを認識し、第２の通信範囲１０２内のデバイスリストを破棄する（ステップＳ８３）。
【００７９】
次に、通信装置１０５は、第４の通信範囲１０４内に存在するデバイス１１３から、第１の通信切断要求を受信する（ステップＳ８４）。デバイス１１３は、第１の通信切断要求を送信後、第１の通信を切断処理し（ステップＳ８５）、通信装置１０５との間に確立されていた通信回線を破棄する。なお、第２の通信範囲１０２内のデバイスリストに通信範囲情報に第１の通信の切断が設定されていない場合は、機器１０７からの通信範囲情報を受信しても、図１７のシーケンス図に示す処理は実行されない。第４の通信範囲１０４内に移動した全てのデバイスは、以上の説明のように動作する。
【００８０】
次に、図１８は、図１５を用いて説明したデバイス１１１間の通信が確立された状態から、第２の通信範囲１０２外にデバイス１１１が移動することで、デバイス１１１間の通信が切断される動作を示すシーケンス図である。この図１８のオブジェクトは、第１の通信範囲を形成する通信装置１０５、第２の通信範囲を形成する通信装置１０５．及び、デバイス１１１である。
【００８１】
まず、第２の通信範囲１０２を形成する通信装置１０５からデバイス１１に対して、通信範囲情報が送信される（ステップＳ９１）。デバイス１１１の応答が無かった場合、第２の通信範囲を形成する通信装置１０５は、デバイス１１１が第２の通信範囲１０２外に位置することを認識する。このため、第２の通信範囲を形成する通信装置１０５は、第１の通信範囲を形成する通信装置１０５に対して、第１の通信を切断するための切断指示を送信する（ステップＳ９２）。
【００８２】
第１の通信範囲１０１を形成する通信装置１０５は、切断指示に従って第１の通信を切断処理する（ステップＳ９３）。また、第１の通信範囲１０１を形成する通信装置１０５は、第１の通信を切断処理した後に、デバイス１１１に対して、第１の通信の切断指示を行う（ステップＳ９４）。デバイス１１１は、切断指示に従って、デバイス１１１間の第１の通信を切断処理する。
【００８３】
なお、ステップＳ９２において、第１の通信範囲１０１を形成する通信装置１０５から、第２の通信範囲１０２を形成する通信装置１０５に送信される切断指示は、デバイス１１１が通信範囲情報から判断して、デバイス１１が第１の通信範囲１０１を形成する通信装置１０５に送信しても良い。デバイス１１１からデバイス１１３の通信切断動作の場合も、上述の切断動作と同様である。
【００８４】
次に、図１９は、第３の通信範囲１０３内から第２の通信範囲１０２へ移動し、第２の通信範囲１０２内の機器１１５及び機器１１６が使用可能となると共に、第３の通信範囲１０３内の機器１０６および機器１１７から機器１１８の使用が不可となる動作を示すシーケンス図である。図１９に示すオブジェクトは、機器１０６及びデバイス１１２及び通信装置１０５である。
【００８５】
まず、第３の通信範囲１０３を形成する機器１０６からデバイス１１２に対して、通信範囲情報が送信される（ステップＳ１０１）。デバイス１１２は、通信範囲情報に基づいて、デバイス１１２自身が、第３の通信範囲１０３外に位置することを認識し、第３の通信範囲１０３内のデバイスリストを破棄する（ステップＳ１０２）。
【００８６】
次に、第２の通信範囲１０２を形成する通信装置１０５から、デバイス１１２に対して通信範囲情報が送信される（ステップＳ１０３）。デバイス１１２は、通信範囲情報に基づいて、デバイス１１２自身が第２の通信範囲１０２内に位置することを認識し、第２の通信範囲１０２内のデバイスリストを、第２の通信範囲１０２を形成する通信装置１０５に要求する（ステップＳ１０４）。第２の通信範囲１０２を形成する通信装置１０５は、第２の通信範囲１０２内に存在するデバイスのデバイスリストを、デバイス１１２に送信する（ステップＳ１０５）。これにより、デバイス１１２は、第２の通信範囲１０２内に存在するデバイスのデバイスリストを取得する。第３の通信範囲１０３外に移動した全てのデバイスは、以上の説明のように動作する。
【００８７】
次に、図２０のシーケンス図に、デバイス１１３が、第４の通信範囲１０４から第２の通信範囲１０２へ移動した際の各部の動作の流れを示す。図２０に示すオブジェクトは、機器１０７、デバイス１１３、第１の通信範囲１０１を形成する通信装置１０５及び第２の通信範囲１０２を形成する通信装置１０５である。
【００８８】
まず、第４の通信範囲１０４を形成する機器１０７からデバイス１１３に対して、通信範囲情報が送信される（ステップＳ１１１）。デバイス１１３は、通信範囲情報に基づいて、デバイス１１３自身が第４の通信範囲１０４外に位置することを認識する。
【００８９】
次に、第２の通信範囲１０２を形成する通信装置１０５からデバイス１１３に対して、通信範囲情報が送信される（ステップＳ１１２）。デバイス１１３は、第２の通信範囲１０２を形成する通信装置１０５からの通信範囲情報を受信することで、デバイス１１３自身が第２の通信範囲１０２内に位置していることを認識する。そして、デバイス１１３は、第２の通信範囲１０２を形成する通信装置１０５に対して、通信範囲情報を受信したことを示す応答を返信する（ステップＳ１１３）。
【００９０】
次に、第２の通信を確立するための第２のセットアップ情報が、第２の通信範囲１０２を形成する通信装置１０５からデバイス１１３に送信される（ステップＳ１１４）。デバイス１１３は、第２の通信のセットアップの指示を、第１の通信範囲１０１を形成する通信装置１０５に送信する（ステップＳ１１５）。なお、第１の通信範囲１０１を形成する通信装置１０５及び第２の通信範囲１０２を形成する通信装置１０５が別モジュールで形成される場合は、通信装置１０５は別となる。
【００９１】
次に、デバイス１１３及び第１の通信範囲１０１を形成する通信装置１０５は、それぞれ第２の通信のセットアップを行う（ステップＳ１１６、ステップＳ１１７）。これにより、デバイス１１３にて第１の通信の通信回線が確立される。
【００９２】
次に、第１の通信が確立されると、デバイス１１３は、第２の通信範囲１０２を形成する通信装置１０５に対して、第２の通信範囲１０２内のデバイスリスト要求を行う（ステップＳ１１８）。第２の通信範囲１０２を形成する通信装置１０５は、デバイス１１３に対して第２の通信範囲１０２内のデバイスリストを送信する（ステップＳ１１９）。第２の通信範囲１０２内のデバイスリストの設定内容は、各デバイスの権限またはデバイス情報により異なる。第４の通信範囲１０４外に移動した全てのデバイスは、以上の説明のように動作する。
【００９３】
次に、このような実施の形態の無線ＬＡＮ通信システムを、さらに具体的に説明する。図２１は、実施の形態の無線ＬＡＮ通信システムの、具体的なシステム構成図である。この図２１からわかるように、実施の形態の無線ＬＡＮ通信システム内部には、通常の無線ＬＡＮアクセスポイント機能と、Ｂｌｕｅｔｏｏｔｈ（登録商標）通信機能が設けられている。
【００９４】
通信範囲制限装置１における無線ＬＡＮの通信可能範囲は、図２１に大きな楕円で示す無線ＬＡＮ通信エリア５とする。すなわち、実施の形態の無線ＬＡＮ通信システム内の全てのスマートデバイスであるスマートフォン２、機器であるプリンタ装置３、プロジェクタ装置４、及び、ＢＬＥ発信機１２０は、無線ＬＡＮ通信エリア５内に位置する。
【００９５】
通信範囲制限装置１は、スマートフォン又はタブレット端末装置のような、ユーザインタフェース部（ＵＩ）を有する。また、通信範囲制限装置１は、通信範囲情報の一覧が記憶された第１のリスト記憶部１４１、接続されているスマートフォン２等のスマートデバイスの一覧が記憶された第２のリスト記憶部１４２、及び、接続されている周辺機器の一覧が記憶された第３のリスト記憶部１４３を有している。デバイスの一例であるスマートフォン２は、接続可能なプリンタ装置３及びプロジェクタ装置４等の機器の一覧が記憶された接続リスト記憶部１４４を有している。詳しくは、後述する。
【００９６】
通信範囲制限装置１は、制御主体となるインテリジェンスなデバイスの一例であるスマートフォン２と通信可能である。また、通信範囲制限装置１は、デバイスであるスマートフォン２と各周辺機器であるプリンタ装置３及びプロジェクタ装置４とが無線ＬＡＮを介して行う通信も制御する。なお、図２１に周辺機器として示すプリンタ装置３及びプロジェクタ装置４は、あくまでも機器の一例である。プリンタ装置３及びプロジェクタ装置４は、無線ＬＡＮ通信部４７、６７を有しており、無線ＬＡＮネットワークを介してデータの印刷又は画像の投影が可能となっている。
【００９７】
図２２は、図２１に示す装置及び機器等の各ＣＰＵが記憶部に記憶されている通信制御プログラムに従って動作することで実現される各機能の機能ブロック図である。この図２２に示す各機能は、ソフトウェアで実現してもよいし、ハードウェアで実現してもよい。
【００９８】
また、通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリ等のコンピュータ装置で読み取り可能な記録媒体に記録して提供してもよい。ＤＶＤは、「Digital  Versatile  Disk」の略記である。また、通信制御プログラムは、インターネット等のネットワーク経由でインストールするかたちで提供してもよい。また、通信制御プログラムは、機器内のＲＯＭ等に予め組み込んで提供してもよい。
【００９９】
通信範囲制限装置１は、図２１に楕円で示す無線ＬＡＮのアクセスポイント機能である無線ＬＡＮＡＰ部１６、ＢＬＥ通信部１７、デバイス接続部７５、周辺機器接続部７６及び離脱検知部７７を有している。また、通信範囲制限装置１は、通信範囲情報を第１のリスト記憶部１４１に記憶制御する第１のリスト記憶制御部１３１と、接続されているスマートフォン２を示す接続スマートデバイス情報を第２のリスト記憶部１４２に記憶制御する第２のリスト記憶制御部１３２とを有している。
【０１００】
第１のリスト記憶制御部１３１は、第１の取得部の一例である。また、通信範囲制限装置１は、接続されている周辺機器を示す接続周辺機器情報を第３のリスト記憶部１４３に記憶制御する第３のリスト記憶制御部１３３を有している。第３のリスト記憶制御部１３３は、第２の取得部の一例である。接続周辺機器情報が記憶された第３のリスト記憶部１４３は、例えばユーザの権限、許可する通信範囲等の用途に応じた複数の接続周辺機器情報が記憶されている。
【０１０１】
スマートデバイスの一例であるスマートフォン２は、無線ＬＡＮ通信部３１、ＢＬＥ通信部３２、プリンタ装置３への印刷依頼部８１及びプロジェクタ装置４への投影依頼部１３５を有している。また、スマートフォン２は、接続可能な周辺機器を示す接続周辺機器情報を第３のリスト１４３に記憶制御する機器リスト記憶制御部１３６を有している。無線ＬＡＮ通信部３１は通信部の一例、ＢＬＥ通信部３２は接続部一例である。
【０１０２】
周辺機器の一例であるプリンタ装置３は、無線ＬＡＮ通信部６７、ＢＬＥ通信部６８、印刷部８５及び印刷部８５を制御するプリンタ制御部１３７を有している。同様に、周辺機器の一例であるプロジェクタ装置４は、無線ＬＡＮ通信部６７、ＢＬＥ通信部６８、投影部１３８、及び、投影部１３８を投影制御する投影制御部１３９を有している。図８に示すプロジェクタ装置４の周辺の楕円は、ＢＬＥ通信エリア１４６を示している。また、周辺機器の一例であるＢＬＥ発信機１２０は、ＢＬＥ通信部１４０を有している。図８に示すＢＬＥ発信機１２０の周辺の楕円は、ＢＬＥ通信エリア１４７を示している。
【０１０３】
以下の表１は、第１のリスト記憶部１４１に記憶された通信範囲情報のリストの一例を示している。
【０１０４】
【表１】
2017041861.tif 000003
【０１０５】
接続するスマートフォン２等のスマートデバイスは、ＢＬＥ通信によって通信範囲制限装置１を認識し、表１に示す形式で、通信範囲制限装置１から通信範囲情報の第１のリストを受信する。
【０１０６】
通信範囲情報の第１のリストは、ＢＬＥ通信においてスマートデバイスの通信範囲入退場を特定する識別子として、スマートデバイスのＢｌｕｅｔｏｏｔｈ（登録商標）アドレス（ＢＤ＿ＡＤＤＲ、Ｂｌｕｅｔｏｏｔｈ（登録商標）デバイスアドレス等）を含む。また、第１のリストは、Ｂｌｕｅｔｏｏｔｈ（登録商標）アドレスが形成する通信範囲を指定するための情報である通信範囲の閾値、通信範囲に入場した場合のデバイス動作を示す情報を含む。
【０１０７】
また、第１のリストは、スマートデバイスが各通信範囲内でのみ使用可能な周辺機器を指定する場合に使用する周辺機器リストである第３のリストを示す識別情報（リストＩＤ）を含む。すなわち、第１のリストは、スマートデバイスが、第３のリスト記憶部１４３に記憶されている第３のリストを指定するためのリストＩＤを含む。
【０１０８】
これらの情報に基づいて、スマートフォン２等のスマートデバイスは、ＢＬＥ通信範囲に対する入退場及び動作を判断する。通信範囲内に入場するスマートデバイスを制限する場合は、通信範囲へのアクセス条件にデバイスのＢｌｕｅｔｏｏｔｈ（登録商標）アドレス（ＢＤ＿ＡＤＤＲ、Ｂｌｕｅｔｏｏｔｈ（登録商標）デバイスアドレスなど）等のデバイスを特定する情報、又は、アクセスに必要なデバイスの権限を設定することで、入場するスマートデバイスを制限する。
【０１０９】
さらに、通信範囲情報の第１のリストに通信範囲制限装置１の情報を設定することで、通信範囲内でのデバイス動作の設定が可能となる。また、スマートデバイスを第１のリストに登録することで、スマートデバイスを中心とした通信範囲の設定が可能となる。さらに、ＢＬＥ発信機１２０等のＢＬＥ通信部のみを備えた機器を登録した場合、ＢＬＥ発信機１２０を中心とした通信範囲の設定が可能となる。
【０１１０】
以下の表２は、第２のリスト記憶部１４２に記憶された接続スマートデバイスのリストの一例を示している。
【０１１１】
【表２】
2017041861.tif 000004
【０１１２】
スマートフォン２等の接続スマートデバイスは、ＢＬＥ通信によって認識され、表２の形式で、通信範囲制限装置１が有する接続スマートデバイスリストである第２のリストに登録（記憶）される。
【０１１３】
接続スマートデバイスリストである第２のリストは、ＢＬＥ通信においてデバイスの通信範囲入退場を特定する識別子として、デバイスのＢｌｕｅｔｏｏｔｈ（登録商標）アドレス（ＢＤ＿ＡＤＤＲ、Ｂｌｕｅｔｏｏｔｈ（登録商標）デバイスアドレス等）、デバイスがスマートデバイスか否かを示すデバイス種別値、及び、ＩＰアドレス又はＭＡＣ（Media  Access  Control）アドレス等のデバイスを識別できる情報を含む。また、第２のリストは、デバイスに付与した権限を示す情報を含む。各デバイスに対して、それぞれ権限を付与することで、権限に対応した接続可能な周辺機器のリスト（第３のリスト）の取得等を可能とする。この情報に基づいて、制御対象となるデバイスの選択等の操作が行われる。
【０１１４】
以下の表３は、第３のリスト記憶部１４３に記憶された接続可能な周辺機器のリストである第３のリストの一例を示している。
【０１１５】
【表３】
2017041861.tif 000005
【０１１６】
接続可能な周辺機器は、ＢＬＥ通信により認識され、表３の形式で、通信範囲制限装置１が有する接続機器のリストである第３のリストに記憶される。通信範囲制限装置１は、デバイスの権限に合わせた第３のリスト、機器を中心とした通信範囲内のみで使用する第３のリスト等のように、用途に応じた複数の第３のリストを有している。
【０１１７】
第３のリストは、ＢＬＥ通信においてデバイスの通信範囲入退場を特定する識別子としてデバイスのＢｌｕｅｔｏｏｔｈ（登録商標）アドレス（ＢＤ＿ＡＤＤＲ、Ｂｌｕｅｔｏｏｔｈ（登録商標）デバイスアドレスなど）、プリンタ装置又はプロジェクタ装置等のデバイスの種別を示すデバイス種別値、ＩＰアドレス又はＭＡＣ（Media  Access  Control）アドレス等のデバイスを識別できる情報、及び、接続された周辺機器の制御に必要な設定情報を含む。これらの情報をスマートデバイスの権限及び（又は）や状態に合わせて送信し、スマートデバイスが制御する機器を特定する。
【０１１８】
また、用途に応じた複数の第３リストが設けられているが、第３のリストの周辺機器へのアクセス条件を設定することで、第３のリストを単一化してもよい（第３のリストを一つとしてもよい）。この場合、周辺機器へのアクセス条件に、デバイスのＢｌｕｅｔｏｏｔｈ（登録商標）アドレス（ＢＤ＿ＡＤＤＲ、Ｂｌｕｅｔｏｏｔｈ（登録商標）デバイスアドレスなど）等のデバイスを特定する情報を設定することで、特定のデバイスのみ使用可能な機器を指定できる。
【０１１９】
また、以下の表４に示すように、表１を用いて説明した情報を追加すると共に、追加した情報の使用可否を設定する通信範囲形成機能の有無を追加することで、通信範囲情報の第１のリストを用いなくても、周辺機器を中心とした通信範囲を指定できる。
【０１２０】
【表４】
2017041861.tif 000006
【０１２１】
以下の表５は、スマートフォン２等の操作デバイスが、通信範囲制限装置１から受信した操作機器の機器リストの一例を示している。
【０１２２】
【表５】
2017041861.tif 000007
【０１２３】
接続機器はＢＬＥ通信で認識され、表５に示す形式で、通信範囲制限装置１の接続機器のリストである第３のリストからスマートフォン２に転送され、スマートフォン２の機器リスト記憶部１４４に記憶される。
【０１２４】
通信範囲制限装置１は、デバイスの権限に合わせた第３のリスト、及び、機器を中心とした通信範囲内のみで使用する第３のリスト等にように、用途に応じた複数の第３のリストを有している。通信範囲制限装置１は、デバイスの権限及び（又は）状態に基づいて選択した第３のリストを、デバイス側に送信する。スマートデバイス側では、通信範囲制限装置１から受信した機器リストに基づいて、操作する周辺機器の選択等を行う。また、周辺機器に対するアクセス条件が設定されている場合、スマートデバイスは、設定された条件に基づいて、操作する周辺機器を選択する。
【０１２５】
なお、通信範囲情報の第１のリストを使用しない場合は、以下の表６に示すように、表４及び表５を合わせたリスト内容となる。
【０１２６】
【表６】
2017041861.tif 000008
【０１２７】
図２３は、１台の通信範囲限定装置１で擬似的に複数の限定された通信範囲を形成する動作の流れを示すフローチャートである。通信範囲限定装置１が、ＢＬＥ通信のＲＳＳＩパラメータにより、スマートデバイスがＢＬＥ通信エリア６内に入ったことを検知すると（ステップＳ１２１）、スマートデバイスは、ＢＬＥ通信にて通信範囲情報の第１のリスト（表１参照）を取得する（ステップＳ１２２）。スマートデバイスは、取得した通信範囲情報の第１のリストに設定された通信範囲内の動作指示に基づいて、Ｗｉ−Ｆｉ通信の接続は不可であることを認識する（ステップＳ１２３）。
【０１２８】
スマートデバイスは、取得した第１のリストに設定された通信範囲制限装置１以外のＢｌｕｅｔｏｏｔｈ（登録商標）アドレスを持つＢＬＥ通信のＲＳＳＩパラメータにより、スマートデバイスが、ＢＬＥ通信範囲内に入ったか否かを判別する（ステップＳ１２４、ステップＳ１２５）。スマートデバイスが、ＢＬＥ通信範囲内に入ったと判別した場合、処理がステップＳ１２６に進み、ＢＬＥ通信範囲内に入っていないと判別した場合、処理がステップＳ１３２に進む。
【０１２９】
ＢＬＥ通信範囲内に入ったと判別した場合、スマートデバイスは、通信範囲情報の第１のリストに従い、通信範囲制限装置１に対して、Ｗｉ−Ｆｉ通信の接続要求を行う（ステップＳ１２６）。通信範囲制限装置１は、第１のリストに設定された通信範囲内での動作指示から、スマートデバイスを接続させる処理を行う。
【０１３０】
具体的には、通信範囲制限装置１は、第２のリスト記憶部１４２に、新規なスマートデバイスを追加登録し（ステップＳ１２７）、ＢＬＥ通信にてＷＰＡ／ＷＰＡ２で接続する。その際、ディフィーヘルマン（Ｄｉｆｆｉｅ−Ｈｅｌｌｍａｎ）鍵交換による、公開鍵の交換が行われる。スマートデバイスとアクセスポイントは、ＢＬＥ通信により、公開鍵の交換を行う（ステップＳ１２８）。これにより、スマートデバイスが無線ＬＡＮに接続される。
【０１３１】
無線ＬＡＮに接続されたスマートデバイスは、通信範囲限定装置１から、権限に対応した接続機器リスト（表３又は表４を参照）をＢＬＥ通信にて受信する（ステップＳ１２９、ステップＳ１３０）。そして、スマートデバイスは、機器リスト記憶部１４４の機器リスト（表５又は表６）を更新して接続を完了する（ステップＳ１３１）。これにより、図２３のフローチャートの処理が終了する。スマートデバイスは、指定されたＢＬＥ通信範囲内において、接続が許可される周辺機器（接続機器）との間で、無線ＬＡＮ通信を行う。
【０１３２】
一方、スマートデバイスが、他の通信範囲リスト（表１参照）に設定されたＢｌｕｅｔｏｏｔｈ（登録商標）アドレスを持つＢＬＥの通信エリア内に入った場合（ステップＳ１３２、ステップＳ１３３）、通信範囲リスト（表１参照）に設定された通信範囲内での動作指示に従い処理を行う。
【０１３３】
具体的には、上述と同様に、スマートデバイスは、通信範囲情報の第１のリストの指示に従い、Ｗｉ−Ｆｉ通信の接続要求を行う（ステップＳ１３４）。通信範囲制限装置１は、第１のリストに設定された通信範囲内での動作指示から、スマートデバイスを接続させる処理を行う。
【０１３４】
具体的には、通信範囲制限装置１は、第２のリスト記憶部１４２に、新規なスマートデバイスを追加登録し（ステップＳ１３５）、ＢＬＥ通信にてＷＰＡ／ＷＰＡ２で接続する。その際、ディフィーヘルマン（Ｄｉｆｆｉｅ−Ｈｅｌｌｍａｎ）鍵交換による、公開鍵の交換が行われる。スマートデバイスとアクセスポイントは、ＢＬＥ通信により、公開鍵の交換を行う（ステップＳ１３６）。これにより、スマートデバイスが無線ＬＡＮに接続される。
【０１３５】
無線ＬＡＮに接続されたスマートデバイスは、通信範囲限定装置１から、権限に対応した接続機器リスト（表３又は表４を参照）をＢＬＥ通信にて受信し（ステップＳ１３７、ステップＳ１３８）する。そして、スマートデバイスは、機器リスト記憶部１４４の機器リスト（表５又は表６）を更新して接続を完了する（ステップＳ１３９）。これにより、図２３のフローチャートの処理が終了する。
【０１３６】
図２４は、スマートデバイスの権限に応じて使用する機器を制限する動作を示すフローチャートである。スマートデバイスが、通信範囲制限装置１のＢＬＥ通信エリア内に入った場合（ステップＳ１４１）、スマートデバイスは、ＢＬＥ通信にて通信範囲情報の第１のリスト（表１参照）を取得する（ステップＳ１４２）。スマートデバイスは、取得した第１のリスト（表１参照）に設定された通信範囲制限装置１の通信範囲内での動作指示から、上述のＷｉ−Ｆｉ通信接続処理を行う（ステップＳ１４３）。
【０１３７】
次に、スマートデバイスは、スマートデバイスの権限が上位権限であるか否かを判別する（ステップＳ１４４）。スマートデバイスの権限が上位権限である場合、処理がステップＳ１４５に進み、下位権限である場合、処理がステップＳ１４７に進む。通信範囲制限装置１は、スマートデバイスが上位権限であった場合、上位権限用の接続機器の第３のリスト（表３又は表４参照）をスマートデバイスに送信する（ステップＳ１４５）。これに対して、通信範囲制限装置１は、スマートデバイスが下位権限であった場合、下位権限用の接続機器の第３のリスト（図３又は表４参照）をスマートデバイスに送信する（ステップＳ１４６）。
【０１３８】
スマートデバイスは、通信範囲制限装置１から受信した第３のリストに従い、機器リスト記憶部１４４の機器リスト（表５又は表６参照）を更新する（ステップＳ１４６）。これにより、図２４のフローチャートの処理が終了する。
【０１３９】
スマートデバイスは、通信範囲制限装置１から受信した接続機器の第３のリスト（表５又は表６参照）に設定された機器のみ使用可能となる。
【０１４０】
次に、図２５に、スマートデバイスがプロジェクタ装置４のＢＬＥ通信エリア１４６内に移動することで、使用可能な機器をプロジェクタ装置４のみに変更する動作を示すフローチャートである。スマートデバイスは、通信範囲制限装置１のＢＬＥ通信エリア６内に入ると、まずＢＬＥ通信にて通信範囲情報の第１のリストを通信範囲制限装置１から取得する（ステップＳ１５１、ステップＳ１５２）。
【０１４１】
スマートデバイスは、取得した通信範囲情報の第１のリストに設定された通信範囲制限装置１の通信範囲内での動作指示から、上述のＷｉ−Ｆｉ通信接続処理を行い（ステップＳ１５３）、接続機器の第３のリストを取得し、機器リスト記憶部１４４の機器リストを更新する（ステップＳ１５４、ステップＳ１５５）を更新する。
【０１４２】
スマートデバイスは、取得した通信範囲情報の第１のリストに設定された通信範囲制限装置１以外のＢｌｕｅｔｏｏｔｈ（登録商標）アドレスを持つＢＬＥ通信エリアの通信範囲内に入場すると（ステップＳ１５６、ステップＳ１５７：Ｙｅｓ）、通信範囲情報の第１のリストに設定された通信範囲内での動作指示に基づいて、現在の機器リストを破棄する（ステップＳ１５８）。
【０１４３】
次に、スマートデバイスは、通信範囲制限装置１から権限と通信範囲に対応した接続機器の第３のリストをＢＬＥ通信にて受信し（ステップＳ１５９、ステップＳ１６０）、機器リスト記憶部１４４の機器リストを更新して、図２５のフローチャートの処理を終了させる。これにより、現在の通信範囲内の機器のみを使用可能とすることができる。
【０１４４】
次に、図２６は、スマートデバイスがプロジェクタ装置４のＢＬＥ通信エリア１４６内に移動した場合に、一定の権限を持つスマートデバイスのみ、ＢＬＥ通信エリア１４６内のプロジェクタ装置４の使用を可能とする動作を示すフローチャートである。通信範囲限定装置１が、ＢＬＥ通信のＲＳＳＩパラメータにより、スマートデバイスがＢＬＥ通信エリア６内に入ったことを検知すると（ステップＳ１７１）、スマートデバイスは、ＢＬＥ通信にて通信範囲情報の第１のリスト（表１参照）を取得する（ステップＳ１７２）。スマートデバイスは、取得した通信範囲情報の第１のリストに設定された通信範囲内の動作指示に基づいて、Ｗｉ−Ｆｉ通信の接続処理を行う（ステップＳ１７３）。
【０１４５】
通信範囲限定装置１は、無線ＬＡＮに接続されたスマートデバイスの権限及び通信範囲に対応した接続機器の第３のリスト（表３又は表４を参照）をＢＬＥ通信にてスマートデバイスに送信する（ステップＳ１７４）。スマートデバイスは、機器リスト記憶部１４４の機器リスト（表５又は表６）を、通信範囲制限装置１から受信した、スマートデバイスの権限及び通信範囲に対応した第３のリストに更新する（ステップＳ１７５）。
【０１４６】
次に、スマートデバイスは、取得した通信範囲情報の第１のリストに設定された通信範囲制限装置１以外のＢｌｕｅｔｏｏｔｈ（登録商標）アドレスを持つＢＬＥ通信エリア内に入った場合（ステップＳ１７６）、通信範囲リスト（表１参照）に設定された通信範囲内での動作指示に従い、スマートデバイス自身の権限を判別する（ステップＳ１７６〜ステップＳ１７８）。
【０１４７】
スマートデバイスの権限が上位権限であった場合、スマートデバイスは、通信範囲情報の第１のリストに設定された通信範囲内での動作指示から、機器リスト記憶部１４４に記憶されている現在の機器リストを破棄する（ステップＳ１７９）。また、スマートデバイスは、通信範囲制限装置１に対して、現在の通信範囲の接続機器の第３のリストの送信要求を行う（ステップＳ１８０）。通信範囲制限装置１は、上位権限のスマートデバイス用の第３のリストを、スマートデバイスに送信する（ステップＳ１８１）。スマートデバイスは。通信範囲制限装置１から権限と通信範囲に対応した接続機器の第３のリストをＢＬＥ通信にて受信すると、機器リスト記憶部１４４に記憶されている第３のリストを更新する（ステップＳ１８２）。これにより、スマートデバイスが、プロジェクタ装置４のＢＬＥ通信エリア１４６内に移動した場合には、プロジェクタ装置４のＢＬＥ通信エリア１４６内において、スマートデバイスがプロジェクタ装置４のみを使用可能とすることができる。
【０１４８】
なお、スマートデバイスの権限が下位権限であった場合は、スマートデバイスが通信範囲内に入場しても、通信範囲制限装置１のＢＬＥ通信エリア６内の機器のみ使用可能となる。
【０１４９】
次に、図２７は、スマートデバイスがＢＬＥ発信機１２０のＢＬＥ通信エリア１４７に移動することで、通信範囲制限装置１との間のＷｉ−Ｆｉ通信が切断される動作の流れを示すフローチャートである。スマートデバイスは、通信範囲制限装置１のＢＬＥ通信エリア６内に入ると、まずＢＬＥ通信にて通信範囲情報の第１のリストを通信範囲制限装置１から取得する（ステップＳ１９１、ステップＳ１９２）。
【０１５０】
スマートデバイスは、取得した通信範囲情報の第１のリストに設定された通信範囲制限装置１の通信範囲内での動作指示から、上述のＷｉ−Ｆｉ通信接続処理を行い（ステップＳ１９３）、接続機器の第３のリストを取得し、機器リスト記憶部１４４の機器リストを更新する（ステップＳ１９４、ステップＳ１９５）を更新する。
【０１５１】
スマートデバイスは、取得した通信範囲情報の第１のリストに設定された通信範囲制限装置１以外のＢｌｕｅｔｏｏｔｈ（登録商標）アドレスを持つＢＬＥ通信エリアの通信範囲内に入場すると（ステップＳ１９６、ステップＳ１９７：Ｙｅｓ）、通信範囲情報の第１のリストに設定された通信範囲内での動作指示に基づいて、機器リスト記憶部１４４の現在の機器リストを破棄する（ステップＳ１９８）。そして、スマートデバイスは、通信範囲制限装置１との間のＷｉ−Ｆｉ通信回線を切断処理する（ステップＳ１９９）。
【０１５２】
通信範囲制限装置１との間のＷｉ−Ｆｉ通信を切断することで、スマートデバイスは、３Ｇ回線又はＬＴＥ回線等の他の通信回線との接続が可能となる。これにより、例えばクラウドコンピューティングシステム等の外部ネットワークの利用を可能とすることができる。
【０１５３】
次に、図２８は、ＢＬＥ発信機１２０のＢＬＥ通信エリア１４６内に移動したスマートデバイスの権限に応じて、通信範囲制限装置１との間のＷｉ−Ｆｉ通信を切断する動作を示すフローチャートである。スマートデバイスは、通信範囲制限装置１のＢＬＥ通信エリア６内に入ると、まずＢＬＥ通信にて通信範囲情報の第１のリストを通信範囲制限装置１から取得する（ステップＳ２０１、ステップＳ２０２）。
【０１５４】
スマートデバイスは、取得した通信範囲情報の第１のリストに設定された通信範囲制限装置１の通信範囲内での動作指示から、上述のＷｉ−Ｆｉ通信接続処理を行い（ステップＳ２０３）、接続機器の第３のリストを取得し、機器リスト記憶部１４４の機器リストを更新する（ステップＳ２０４、ステップＳ２０５）を更新する。
【０１５５】
スマートデバイスは、取得した通信範囲情報の第１のリストに設定された通信範囲制限装置１以外のＢｌｕｅｔｏｏｔｈ（登録商標）アドレスを持つＢＬＥ通信エリアの通信範囲内に入場すると（ステップＳ２０６、ステップＳ２０７：Ｙｅｓ）、スマートデバイスの権限が上位権限であるか否かを判別する（ステップＳ２０８）。スマートデバイスの権限が上位権限である場合、スマートデバイスは、通信範囲情報の第１のリストに設定された通信範囲内での動作指示に基づいて、機器リスト記憶部１４４の現在の機器リストを破棄する（ステップＳ２０９）。そして、スマートデバイスは、通信範囲制限装置１との間のＷｉ−Ｆｉ通信回線を切断処理する（ステップＳ２１０）。
【０１５６】
通信範囲制限装置１との間のＷｉ−Ｆｉ通信を切断することで、スマートデバイスは、３Ｇ回線又はＬＴＥ回線等の他の通信回線との接続が可能となる。これにより、例えばクラウドコンピューティングシステム等の外部ネットワークの利用を可能とすることができる。なお、スマートデバイスの権限が下位権限であった場合は、通信範囲内に入場しても、通信範囲制限装置１のＢＬＥ通信エリア６内の機器のみ使用可能となる。
【０１５７】
次に、図２９は、スマートデバイスがプロジェクタ装置４のＢＬＥ通信エリア１４６外に移動し、通信範囲制限装置１内に存在する機器のみ再度使用可能に変更する動作を示すフローチャートである。スマートデバイスは、通信範囲制限装置１から取得した通信範囲情報の第１のリストに設定された通信範囲制限装置１以外のＢｌｕｅｔｏｏｔｈ（登録商標）アドレスを持つＢＬＥ通信エリアの通信範囲からの退場を検出すると、（ステップＳ２１１、ステップＳ２１２：Ｙｅｓ）、ステップＳ２１２に処理を進める。
【０１５８】
スマートデバイスは、通信範囲制限装置１から取得した通信範囲情報の第１のリストに設定された通信範囲制限装置１以外のＢｌｕｅｔｏｏｔｈ（登録商標）アドレスを持つＢＬＥ通信エリアの通信範囲内への入場を検知すると（ステップＳ２１３、ステップＳ２１４：Ｙｅｓ）、スマートデバイスは、通信範囲情報の第１のリストに設定された通信範囲内での動作指示から、機器リスト記憶部１４４に記憶されている現在の機器リストを破棄する（ステップＳ２１５）。
【０１５９】
また、スマートデバイスは、通信範囲制限装置１に対して、現在の通信範囲の接続機器の第３のリストの送信要求を行う（ステップＳ２１６）。通信範囲制限装置１は、スマートデバイスの権限及び通信範囲に応じた第３のリストを、スマートデバイスに送信する（ステップＳ２１７）。スマートデバイスは。通信範囲制限装置１から権限と通信範囲に対応した接続機器の第３のリストをＢＬＥ通信にて受信すると、機器リスト記憶部１４４に記憶されている第３のリストを更新して、現在の通信範囲内の機器のみ使用可能とする（ステップＳ２１８）。
【０１６０】
これにより、スマートデバイスがプロジェクタ装置４のＢＬＥ通信エリア１４６外に移動した際は、通信範囲制限装置１内に存在する機器のみを、再度使用可能とすることができる。
【０１６１】
次に、図３０は、ＢＬＥ発信機１２０のＢＬＥ通信エリア１４７に移動することで、通信範囲制限装置１との間のＷｉ−Ｆｉ通信を切断したスマートデバイスが、Ｗｉ−Ｆｉ通信の再接続を行う動作を示すフローチャートである。スマートデバイスは、通信範囲制限装置１から取得した通信範囲情報の第１のリストに設定された通信範囲制限装置１以外のＢｌｕｅｔｏｏｔｈ（登録商標）アドレスを持つＢＬＥ通信エリアの通信範囲内への入場を検知する（ステップＳ２２１）。
【０１６２】
スマートデバイスは、ＢＬＥ通信エリアの通信範囲外への移動（退場）を検知すると（ステップＳ２２２：Ｙｅｓ）、通信範囲制限装置１から取得した通信範囲情報の第１のリストに設定された通信範囲制限装置１以外のＢｌｕｅｔｏｏｔｈ（登録商標）アドレスを持つＢＬＥ通信エリアの通信範囲内への入場を検知する（ステップＳ２２３）。スマートデバイスは、ＢＬＥ通信エリアの通信範囲内への入場を検知すると（ステップＳ２２４：Ｙｅｓ）、通信範囲情報の第１のリストに設定された通信範囲内の動作指示に基づいて、通信範囲制限装置１との間のＷｉ−Ｆｉ通信の接続処理を行う（ステップＳ２２５）。
【０１６３】
次にスマートデバイスは、通信範囲制限装置１に対して、現在の通信範囲に対応する接続機器の第３のリストの送信要求を行う（ステップＳ２２６）。通信範囲制限装置１は、無線ＬＡＮに接続されたスマートデバイスの権限及び通信範囲に対応した接続機器の第３のリストをＢＬＥ通信にてスマートデバイスに送信する（ステップＳ２２７）。スマートデバイスは、機器リスト記憶部１４４の機器リストを、通信範囲制限装置１から受信した、スマートデバイスの権限及び通信範囲に対応した第３のリストに更新し（ステップＳ２２８）、現在の通信範囲内の機器のみ使用可能とする。
【０１６４】
（実施の形態の効果）
以上の説明から明らかなように、実施の形態の無線ＬＡＮ通信システムは、無線ＬＡＮＡＰ部１６及びＢＬＥ通信部１７を有する通信範囲制限装置１が、アドホックネットワーク内に存在するデバイス、機器のＢｌｕｅｔｏｏｔｈ（登録商標）固有情報（Ｂｌｕｅｔｏｏｔｈ（登録商標）アドレス等）、無線ＬＡＮ固有情報（ＭＡＣアドレス、ＩＰアドレス等）をデバイスリストで管理し参照する。
【０１６５】
アドホックネットワーク内に存在するデバイス及び機器は、ＢＬＥ通信部３２、４８、６８を有しており、それぞれＢＬＥ通信エリアを有している。通信範囲制限装置１が管理するデバイス及び機器のＢｌｕｅｔｏｏｔｈ（登録商標）固有情報に、ＢＬＥ通信エリアの閾値を持たせることで、デバイス及び機器を中心とした制限エリアを指定することができる。
【０１６６】
スマートデバイスは、指定されたＢＬＥ通信エリアに移動した際に、移動先となるＢＬＥ通信エリアのみで使用できるデバイスリストを受信する。これにより、スマートデバイスを、擬似的に別のＢＬＥ通信エリアに入ったようにすることができる。また、所定のＢＬＥ通信エリアに入場した場合には、外部ネットワークへの接続が可能となる等、それぞれのＢＬＥ通信エリアに役割を持たせることもできる。また、デバイスには権限を設定し、リストの受信を制限することで、デバイス毎のＢＬＥ通信エリアへの入場及び機器の使用を制限できる。
【０１６７】
実施の形態の無線ＬＡＮ通信システムは、このようなアドホックな無線通信ネットワークを構築する場合、一つの通信範囲制限装置１で、複数のアドホックな無線通信ネットワークを形成できる。このため、簡単な構成で、複数のアドホックな無線通信ネットワークを形成可能とすることができる。
【０１６８】
上述の実施の形態は、例として提示したものであり、本発明の範囲を限定することは意図していない。この新規な実施の形態は、その他の様々な形態で実施されることが可能である。また、発明の要旨を逸脱しない範囲で、種々の省略、置き換え、変更を行うことも可能である。実施の形態及び実施の形態の変形は、発明の範囲や要旨に含まれると共に、特許請求の範囲に記載された発明とその均等の範囲に含まれる。
【符号の説明】
【０１６９】
１  通信範囲制限装置
２  スマートフォン
３  プリンタ装置
４  プロジェクタ装置
５  無線ＬＡＮ通信エリア
６  ＢＬＥ通信エリア
６’  ＢＬＥ通信エリア
７  無線ＬＡＮ通信不可エリア
１５  入出力Ｉ／Ｆ
１６  無線ＬＡＮＡＰ部
１７  ＢＬＥ通信部
３１  無線ＬＡＮ通信部
３２  ＢＬＥ通信部
４７  無線ＬＡＮ通信部
４８  ＢＬＥ通信部
７５  デバイス接続部
７６  周辺機器接続部
７７  離脱検知部
７８  無線ＬＡＮＡＰ制御部
７９  ＢＬＥ通信制御部
８１  印刷依頼部
８２  無線ＬＡＮ通信制御部
８３  ＢＬＥ通信制御部
８５  印刷部
８６  無線ＬＡＮ通信制御部
８７  ＢＬＥ通信制御部
１２０  ＢＬＥ発信機
１３１  第１のリスト記憶制御部
１３２  第２のリスト記憶制御部
１３３  第３のリスト記憶制御部
１３６  機器リスト記憶制御部
１４１  第１のリスト記憶部
１４２  第２のリスト記憶部
１４３  第３のリスト記憶部
１４４  機器リスト記憶部
１４６  ＢＬＥ通信エリア
１４７  ＢＬＥ通信エリア
【先行技術文献】
【特許文献】
【０１７０】
【特許文献１】特開２０１３−２４２９２５号公報
【図１】
2017041861.tif 000009
【図２】
2017041861.tif 000010
【図３】
2017041861.tif 000011
【図４】
2017041861.tif 000012
【図５】
2017041861.tif 000013
【図６】
2017041861.tif 000014
【図７】
2017041861.tif 000015
【図８】
2017041861.tif 000016
【図９】
2017041861.tif 000017
【図１０】
2017041861.tif 000018
【図１１】
2017041861.tif 000019
【図１２】
2017041861.tif 000020
【図１３】
2017041861.tif 000021
【図１４】
2017041861.tif 000022
【図１５】
2017041861.tif 000023
【図１６】
2017041861.tif 000024
【図１７】
2017041861.tif 000025
【図１８】
2017041861.tif 000026
【図１９】
2017041861.tif 000027
【図２０】
2017041861.tif 000028
【図２１】
2017041861.tif 000029
【図２２】
2017041861.tif 000030
【図２３】
2017041861.tif 000031
【図２４】
2017041861.tif 000032
【図２５】
2017041861.tif 000033
【図２６】
2017041861.tif 000034
【図２７】
2017041861.tif 000035
【図２８】
2017041861.tif 000036
【図２９】
2017041861.tif 000037
【図３０】
2017041861.tif 000038